(57)【特許請求の範囲】
【請求項１】
アクティブ・ローリング・ウォーキングのための用具（１）であって、
そのアッパー部（２）には、当該用具を足に固定可能とする革、織物ないし他の天然ないし人工材料で作られたアッパー靴体が設けられたウォーキング用具において、
ソール部（３）が少なくともミッドソール（１０）、アンダーソール（１２）およびソール底（１３）を備え、前記ミッドソール（１０）は強く硬く弾力があり、前記アンダーソール（１２）は０.５〜５ｃｍの厚さを有すると共に柔軟で弾力があり、前記ソール底（１３）は硬くて弾力があり、
ミッドソール底（１１）および前記ソール底（１３）が、任意の凸形のアーチ形状ないし円弧形状を有し、
硬質で楔形状の大きな封入体（１５）が設けられ、
当該用具の前方３分の１部分（II）においては、前記封入体が、前記ミッドソール底（１１）と前記ソール底（１３）との間の空間を完全に満たし、
当該用具の後方３分の２部分（III，IV）においては、前記封入体が任意の形状を有すると共に、前記ミッドソール底（１１）と前記ソール底（１３）との間の残りの空間が、前記ソール底（１３）の凸形の外側輪郭が維持されるように柔軟な前記アンダーソール（１２）によって満たされている、ことを特徴とするウォーキング用具。
【請求項２】
強くて硬い前記ミッドソール（１０）から柔軟な前記アンダーソール（１２）への漸進的な移行部が存在する、ことを特徴とする請求項１記載のウォーキング用具。
【請求項３】
前記アンダーソール（１２）は、軟質材料よりなる１又は２以上の層ないし部分から構成され、これにより、前記ソール部（３）は砂のように屈曲する弾性を有するが、この弾性は、負荷状態では作用力によって新たな形状がもたらされるだけのものであり、それにもかかわらず弾力的に柔軟である、ことを特徴とする請求項１又は２記載のウォーキング用具。
【請求項４】
前記ソール底（１３）に対してスタッド（１４）が取り付けられている、ことを特徴とする請求項１乃至３のいずれかに記載のウォーキング用具。
【請求項５】
前記ソール底（１３）に対してスタッド（１４）が、交換可能な手法で固定されている、ことを特徴とする請求項４記載のウォーキング用具。
【請求項６】
前記ソール底（１３）に対してスタッド（１４）が、固く結合されている、ことを特徴とする請求項４記載のウォーキング用具。
【請求項７】
特定の状況にとって望ましい特定の機能に対応してスタッド（１４）が配設されている、ことを特徴とする請求項４乃至６のいずれかに記載のウォーキング用具。
【請求項８】
当該用具の中央３分の１部分（III）における硬質封入体（１５）が、任意に選択可能な少なくとも２つの点ｘおよびｘ’において前記ソール底（１３）から始まって、任意の曲線をなす少なくとも２つの線ａおよびａ’で当該用具の後方３分の２部分（III，IV）に渡って延び、ヒール部（Ｖ）に達して、少なくとも２つの点ｚおよびｚ’で終端する、ことを特徴とする請求項１乃至７のいずれかに記載のウォーキング用具。
【請求項９】
少なくとも１つの他の線（ｂ，ｂ’）が、当該用具の中央部の点（ｙ，ｙ’）から始まって、任意の線を形成し、ヒール部（Ｖ）上の少なくとも１つの点（ｖ，ｖ’）で終端している、ことを特徴とする請求項８記載のウォーキング用具。
【請求項１０】
他の線ｂおよびｂ’の始まる点ｙおよびｙ’が、２つの点ｘおよびｘ’同士の間の仮想連結線上における任意の位置にある、ことを特徴とする請求項９記載のウォーキング用具。
【請求項１１】
他の線ｂおよびｂ’の終端する点ｖおよびｖ’が、２つの点ｚおよびｚ’同士の間の仮想連結線上における任意の位置にある、ことを特徴とする請求項９又は１０記載のウォーキング用具。
【請求項１２】
任意の数の点ｙおよびｙ’において任意の数の他の線ｂおよびｂ’が始まって任意の数の点ｖおよびｖ’で終端するような任意の数の曲線が存在する、ことを特徴とする請求項９乃至１１のいずれかに記載のウォーキング用具。
【発明の詳細な説明】
【０００１】
本発明は、請求項１の前段部にあるようなアクティブ・ローリング・ウォーキング（active rolling walking）用具に関する。
【０００２】
非常に複雑な靱帯-筋肉-腱系統と敏感で直立した脊柱を有する人間は、平坦でない地面を自然に前進できるように構築されている。数千年の間、人間は、この自然な状態に従って自らの身体を使用し、維持してきた。
【０００３】
最近のわずか百年間に、我々は、自らが生活し移動する地表面を、広範囲に渡って人工的に平坦で固いものにし始めてきた。そのような地表上を我々が移動する際、身体は、自然に意図されているのとは全く異なるやり方で使用される。そして、まさに人類の歴史におけるこの短い期間に、背中、関節、血管などに関連した問題が伝染病のように広がり始めたのである。
【０００４】
数千年前、人は物品の輸送のために車輪を発見した。人は、その時、これは重い荷物を相当の距離に渡って運ぶための実用的手段を構成するということを悟った。輸送経路が平坦になればなるほど、輸送が容易になって行く。その結果、人は、輸送経路を車輪に適合させて平坦化してきた。
【０００５】
およそ１００年前、人が動き回る領域内に大規模に平坦な地表を作り始めたとき、人は、車輪の発展に従って、自らの歩行システムには反して、すなわち自らが平坦な地表上でも「ロール」できるように、少なくとも履物を再設計しておくべきだった。そのような方法によってのみ、歩行時の自然なストライドの維持、従って運動系統の健全性の維持が可能となる。しかし、靴の製造産業は、そのような発展を完全にやり損なってしまった。
【０００６】
実を言えば、人間にとって平坦な地表上を歩行する方が容易であり、実際、運動系統の一部しか必要としないパッシブ・ウォーキング（passive walking）を許容し、人間をパッシブ・ウォーキングに誘うことは非常に簡単である。重大なのは、関節や脊柱に加わる衝撃である。運動系統に不均一な負荷（緊張）を与えることは、その一定部分が過度に負荷されるのに対して、他の部分が負荷されないことを意味する。人が毎日平均１０，０００歩だけ歩くことは、人体を刺激する。不利な場合には、パッシブ・ウォーキングの結果であるような、運動系統の片側に偏った負荷（stress）が関節に衝撃を与え、筋肉、腱および靱帯の片側に偏った負荷が背中、関節、血管、脚および足に広範囲に渡る問題を引き起こす。
【０００７】
軽い身体障害や姿勢の歪みのようなダメージ、或いは扁平足は、例えば通常の靴に入れたインソールで治療される。インソールの継続的な使用ないし着用の結果、求められる矯正が一定期間に渡って自動的に引き起こされると考えられている。残念ながら、実状は反対であり、もやはそれは仕事作用を何ら有しないために、弛緩した筋肉系統が弱められる。姿勢や運動系統の状態の大きな変革や進展は、全く、ないしは、ほんの少ししか考慮されていない。
【０００８】
軽い身体障害の場合、例えばインソールの装着のような継続的に使用される手段は、しばしば好ましくない。不正姿勢の矯正を望む装着者は、静的な矯正の結果として、異なる新たな不正姿勢に適応してしまいがちである。
【０００９】
多くの論文や特許文献で参照されている靴および上記の歩行用具は共に、アクティブ・ウォーキングを通じて運動系統全体を使用する必要性や、どのようにして筋肉、腱および脊柱がアクティブ・ウォーキングに用いられるべきかを決定できることの必要性に気付いていない。整形外科的な靴やインソールは、整形外科の専門家によってのみ改良されうる。その結果、僅かな或いは一時的な姿勢の誤りや運動系統の反復動作の誤りを計画的で迅速なやり方で調節するには、現存する手段は適切ではない。
【００１０】
物理療法は、しばしば、対応するエクササイズや運動の指示を与える上での助けになる。しかし、これは多くの場合、永続的に、すなわち作業等における通常の歩行中においても治療を行うことはできず、患者は推奨された数種のエクササイズをしばしば実行しない、という欠点を有している。
【００１１】
本発明の課題は、上述した形式の靴や他の履物を、アクティブ・ウォーキングが必然的となるようにして改良することである。その結果、日々の１万歩が、自然なローリング調和運動を作り上げて行く。全身の均一な負荷が、関節を保護し、筋肉を鍛え上げ、姿勢を真っ直ぐにし、血液循環を促進する（「血管ポンプ（vein pump）」）。アクティブ・ローリング・ウォーキング用具は、専門家によって用意されるべきものであり、そして、実際の使用者によって適応され得るものである。
【００１２】
このような課題は、請求項１の特徴を有したアクティブ・ローリング・ウォーキング用具によって解決される。本発明によるその他の特徴は、従属請求項から取り込むことができ、それらの特徴による利点は、以下の記述によって説明される。
【００１３】
添付図面は、以下の記述によって説明される好適な実施形態を示す。
【００１４】
本発明によるアクティブ・ローリング・ウォーキング用具１（以下、ウォーキング用具１と称する）は、上部靴体（アッパー部）２と、ソール部３とを備えている。上部靴体２は、ウォーキング用具１を足に対して確実に固定するために用いられる。この固定は、サンダルに使用されるようなストラップ、ビーチシューズの場合に使用される靴ひも、或いは皮革や織物で作られた全体的な上部靴体によって行われる。重要なのは、そのような上部靴体２を介して、足がミッドソール１０に対してしっかりと、かつ快適に連結されることである。
【００１５】
ソール部３は、異なるやり方で構成され得る。それは本質的に、少なくとも１つのミッドソール１０、アンダーソール１２およびソール底１３を備えている。ウォーキング用具１の柔軟性を高めるために、ミッドソール１０とアンダーソール１２との間にミッドソール底１１を介設することができる。用途や適用内容によって、本発明によるウォーキング用具１がどの様に構成されるかが決まり、このことが、当該ウォーキング用具の利点の１つとなっている。それは、一群の使用目的の要求に適合されるが、依然として個別的に調節され得る。
【００１６】
ミッドソール１０は、一般的な材料から作られた、比較的硬いものである。それは、運動靴には、例えば日常用の靴と比べて異なる硬さ、すなわち異なる材料が選ばれるように、意図される用途に適合される。ミッドソール底１１は、硬質の弾性材料から作られる。それは又、アンダーソール１０の変形によって生ずる力を吸収するのに充分な強度を有している。ミッドソール底１１は、けば（nap）ないしスタッド状の硬質封入体１５を確実に保持可能となるのに充分なほど、しっかりしている。ミッドソール１０の下方境界部分、すなわち、この場合ミッドソール底１１は、ウォーキング用具１の意図される用途の機能によって選択される、下方へ凸のアーチ状ないし円弧状の任意の形状を有している。
【００１７】
アンダーソール１２は、このウォーキング用具の最も重要な部分である。それは、終端のソール底１３に対向した側において、下方へ凸のアーチ状ないし円弧状の任意の形状を有している。それは、ロール時にトランポリン効果を伴う砂中の裸足歩行の感覚を使用者に与えるような、大きく変形可能で柔軟な材料から作られている。図３、図４および図５に経時的に示されるようなローリングの過程は、砂上歩行時と同様にして消費されるような一定の活動力（active force）を要する。
【００１８】
図５に示すような最終的なローリング段階において、ローリング過程は、トランポリン効果の形式で終了する。ソール底１３は、主にアンダーソール１２を摩耗から保護するのに役立ち、またウォーキング用具１に必要な耐スリップ性を付与する。それは、非常に弾力があって耐摩耗性のある材料から作ることで、ローリングによって直ちに潰れる。従って、それはローリング時に、上述したアンダーソール１２の形状に対して絶えず適応する。要求される機能によっては、スタッド１４の独自で簡単な固定を実現するための適当な手段が、ソール底１３に適用される。
【００１９】
ミッドソール１０、ミッドソール底１１、アンダーソール１２およびソール底１３から構成されるソール部３の独創的な構造によって、任意の形式の適合が可能となる。マッサージ、足-脚矯正、脊柱の釣り合い（statics）、足反射療法などのような、意図された用途および適用のために、ミッドソール１０およびアンダーソール１２を一体的に成形することができる。比較的固いミッドソール１０から柔軟で弾力のあるアンダーソール１２への遷移は、多くの場合、漸進的な特性のものである。製造過程において、この製造方法は、重要な利点に影響を与える。ソール部３は、上述した凸形状を有するソール底１３によって終端する。
【００２０】
アンダーソール１２は、複数の層ないしは異なる部分から形成することができる。例えば、踏み込み時（図３）におけるソール部３の後ろ３分の１部分は混合材料における第１の組成が、中央３分の１部分（図４）は第２の組成が、前３分の１部分は（図５）第３の組成がそれぞれ選択される。ローリング運動の狙いが、ソール部３の組成および構造の選択にとって決定的なものとなる。大きく変形可能で柔軟ではあるが、良好な復元効果を確保するような材料が選択される。
【００２１】
より詳細には、図２に示すような、ミッドソール底１１に対して硬質封入体１５を固定できるような発展性が、整形外科的な用途には適切である。そのような硬質封入体１５は、任意の形状および寸法を有することができる。それに選択される材料は、異なる硬さと弾力の特性を有することができる。形状、硬さおよび弾力の選択は、ウォーキング用具１において意図される用途の相関的要素となる。そのような硬質封入体１５によって、例えば脊柱姿勢の欠陥はもちろん、ゆがみ、扁平足ないしは、膝や腰の異常姿勢の場合のような、足の不正ないし異常な姿勢を予備的に矯正することが可能となる。しかし、これらの硬質封入体１５は、マッサージ効果、足領域反射療法の刺激、および調和された運動の設計も可能とする。ウォーキング用具１は、特定の筋肉の強化や骨格系の能動的支持のために利用され得る。
【００２２】
ソール底１３に対して取り付けるべきスタッド１４は、固定的な方式によっても、着脱自在な方式によっても取り付け可能である。それらがフットボール用のスタッドと同様のやり方で任意に交換されるべきものである場合は、使用者に対して、自ら一定のトレーニング効果を調節できるような利点および発展性を提供することになる。従って、本発明によるウォーキング用具１は、変化するトレーニングの要求に対して適応できるようなトレーニング用具となる。
【００２３】
上記のスタッド１４は、任意の形状および寸法を有することができる。硬さと弾力性は、対応する用途に合わせることができる。ソール底１３に対しては、任意の形状、寸法、弾力性を有する異なる材料の他の部材を取り付けることも、当然に可能である。それらの部材は、ソール底１３に対して固く連結されるか、又は着脱可能に取り付けられる。
【００２４】
ソール底１３は、ソール部３の全部または一部のための終端部および保護層として役立つ。それは、ソール部３の周囲に配置することができ、望むならば上部靴体２まで引き上げてくることもできる。
【００２５】
図６は、硬質封入体１５が大きな寸法を有して、ソール部の前方部分全体IIを満たすこともできる、ということを示している。それは、断面Ｂの点ｘにおいて厚さｄを有し、ウォーキング用具１のつま先Ｉまで、楔形状をなすように延びている。ミッドソール底１１とソール底１３との間の空間は、図示するような硬質封入体１５によって完全に満たされている。楔における４つの前側境界面Ｐ，Ｐ’，ＱおよびＱ’は全て、任意の形状を有することができ、またアクティブ・ローリング・ウォーキング用具１の外側輪郭に対して適合させることができる。例えば図１０のＢ線断面に示されるような、第５の、楔における後側面Ｒは、かかとＶまで任意の形状で延びている。
【００２６】
図１１および図１４は、硬質封入体１５のこの部分に関する発展可能な実施形態を示している。硬質封入体１５の後部形状の相関的要素として、面Ｐ，Ｐ’，ＱおよびＱ’の形状は明らかに変化する。面Ｒは、図１４に示すように、別々の線ａ，ａ’，ｂおよびｂ’によって境界付けることができ、また区分Ｒ，Ｒ’，Ｒ"へ細分化することができる。
【００２７】
中央部分IIIおよび後方部分IVにおける硬質封入体１５の形状は、図１１および図１４に示すように自由に選択することができる。外側境界線ａ，ａ’の連結点ｘ，ｘ’ないしｚ，ｚ’と、図１４に「尾根」として仮想的に示されて点ｙと点ｖとを連結する中央線ｂとは、共に全く任意の形状を有することができる。
【００２８】
極めて希な場合にだけ、線ｂが中心に配置される。中心からそれた配置によって、ウォーキング用具１の装着者にとって、運動系統、特に筋肉の（意図的に）偏った負荷が得られる。
【００２９】
ウオーキング中の屈曲の危険性を回避ないしは減少させるために、無限数の点ｘおよび点ｙを連結する無限数の曲線群ｂによって、図１１に示すようにして、任意形状の曲面Ｒ’を形成することができる。
【００３０】
ミッドソール底１１とソール底１３との間の空間は、硬質封入体１５と柔軟なアンダーソール１２によって満たされている。空気の封入部は存在しない。硬質封入体１５およびアンダーソール１２は、全体として外側から知覚可能な形状をなしてソール底１３によって終端するように互いに適合される。
【図面の簡単な説明】
【図１】  アクティブ・ローリング・ウォーキング用具を示す図。
【図２】  付加物付きのアクティブ・ローリング・ウォーキング用具を示す図。
【図３】  アクティブ・ローリング・ウォーキング用具の連続的な動きの瞬間を捕らえた図。
【図４】  アクティブ・ローリング・ウォーキング用具の連続的な動きの瞬間を捕らえた図。
【図５】  アクティブ・ローリング・ウォーキング用具の連続的な動きの瞬間を捕らえた図。
【図６】  アクティブ・ローリング・ウォーキング用具の側方断面図。
【図７】  背面から見たＡ−Ａ断面図。
【図８】  背面から見たＡ−Ａ断面図。
【図９】  背面から見たＡ−Ａ断面図。
【図１０】  背面から見たＢ−Ｂ断面図。
【図１１】  下方から見た硬質封入体の概略斜視図。
【図１２】  背面図。
【図１３】  背面図。
【図１４】  下方から見た硬質封入体の斜視図。
【図１】
0003904925.tif 000002
【図２】
0003904925.tif 000003
【図３】
0003904925.tif 000004
【図４】
0003904925.tif 000005
【図５】
0003904925.tif 000006
【図６】
0003904925.tif 000007
【図７】
0003904925.tif 000008
【図８】
0003904925.tif 000009
【図９】
0003904925.tif 000010
【図１０】
0003904925.tif 000011
【図１２】
0003904925.tif 000012
【図１３】
0003904925.tif 000013
【図１１】
0003904925.tif 000014
【図１４】
0003904925.tif 000015